(57)【要約】      （修正有）【課題】横置き型のドラムローラであって、ケーブルを繰り出す際、繰り出し速度とドラムの回転速度を合わせて多段に重ねられたケーブルが崩れることのないドラムローラのストッパーを提供する。【解決手段】リング状で上部材が回転自在なドラムローラＤを基板Ｃに載置し、基板Ｃの一側を水平方向に伸ばしてその上面に支持棒を立設し、支持棒の側面から、一定の剛性及び弾性を有する素材から成る縦板状の押圧板２を水平方向に突出させてストッパーＡを形成し、ドラムローラＤ上に、ケーブルＦを巻き回したドラムＥを載置し、ドラムからケーブルを繰り出す際、ストッパーの押圧板の一側面がドラムに巻き回されたケーブルの外側面を押圧する構成とした。【選択図】図１
0003221580.tif 000002
【実用新案登録請求の範囲】
【請求項１】
リング状で上部材が回転自在なドラムローラを基板に載置し、当該基板の一側を水平方向に伸ばしてその上面に支持棒を立設し、
当該支持棒の側面から、一定の剛性及び弾性を有する素材から成る縦板状の押圧板を水平方向に突出させてストッパーを形成し、
前記ドラムローラ上に、ケーブルを巻き回したドラムを載置し、当該ドラムからケーブルを繰り出す際、前記ストッパーの押圧板の一側面が前記ドラムに巻き回されたケーブルの外側面を押圧する構成としたことを特徴とする、ドラムローラのストッパー。
【請求項２】
前記支持棒は、ボルトから成り、前記基板上に設けた長溝内にボルト頭を入れて基板上に立設され、前記長溝は前記ボルト頭の幅より狭い開口部を有し、前記ボルトにナットを螺着して、当該ナットを前記長溝の開口部の両側上縁に締め付けることにより前記支持棒が固定されていることを特徴とする、前記請求項１に記載のドラムローラのストッパー。
【請求項３】
門型の枠体を設け、この枠体の一方の脚部の内側面に、一定の剛性及び弾性を有する素材から成る縦板状の押圧板を水平方向に突出させてストッパーを形成し、
リング状で上部材が回転自在なドラムローラ上に、ケーブルを巻き回したドラムを載置し、
前記ストッパーの他方の脚部を、ドラムローラ上に載置した前記ドラムの中心孔内に挿入し、当該ストッパーの他方の脚部の下部を床面に起立させ、一方の脚部をドラムローラの脇に起立させて当該ストッパーを立設し、
前記ドラムからケーブルを繰り出す際、前記ストッパーの押圧板の一側面が前記ドラムに巻き回されたケーブルの外側面を押圧する構成としたことを特徴とする、ドラムローラのストッパー。
【請求項４】
前記枠体を形成する両脚部及び梁材は、夫々大小径の単管を嵌合したものをネジで螺着固定して形成し、両脚部及び梁材はネジを夫々緩めて、小径の単管を大径の単管から出し入れして夫々伸縮自在又は水平方向に位置調整自在に設けた構成であることを特徴とする、前記請求項３に記載のドラムローラのストッパー。
【請求項５】
前記ストッパーの押圧板は一定の厚さを有し、当該押圧板の縦断面の厚さは下部を上部より幅広に設けたことを特徴とする、前記請求項１、２、３又は４の何れかに記載のドラムローラのストッパー。
【考案の詳細な説明】
【技術分野】
【０００１】
この考案は、送電線等の電線ケーブル等を巻き回して収納するドラムを載置し、このドラムからケーブルを延線等のため繰り出す際、ケーブルの繰り出しが円滑にできる、ドラムローラのストッパーに関するものである。
【背景技術】
【０００２】
従来、電線ケーブルや光通信ケーブルを巻き回して収納し、現場等へ移動するのにボビン形状のドラムが使用されている。この様なドラムを延線等のため繰り出す際には、当該ドラムを固定して回転させるドラムローラが使用されている。この様なドラムローラには、縦置き型、横置き型、また、ドラムの両方の鍔の一部を支持固定するタイプのものや、ドラムの鍔の一面を部分的に軸支するタイプのものなど各種のものがある。このうち、横置き型のドラムローラは、リング状で上部材が下部材に回転自在に載置されているものである。
【０００３】
この様なドラムローラの中でも、ケーブルを横置きできて嵩張らないものとして、特許文献１に記載されたドラム装置がある。このドラム装置は、多段的に積み重ね可能な設置台上で回転可能に支持されたターンテーブル機構を備えたものであり、引き込み作業現場における作業の容易性、構成部材の軽量化、コンパクト化を図ることができるというものである。
【先行技術文献】
【特許文献】
【０００４】
【特許文献１】特開２０００−１９１２４２
【考案の開示】
【考案が解決しようとする課題】
【０００５】
しかしながら、前記従来の横置き型のドラムローラ及び特許文献１の横置き型のドラム装置では、ドラムの回転慣性により、ケーブルを繰り出す際、繰り出し速度とドラムの回転速度が合わず、ドラムの回転速度が早い場合、多段に巻き回しているケーブルが崩れてばらけてしまうことがある。ケーブルの繰り出し時に、ケーブルが崩れてばらけてしまうとケーブル同士で接触し、絡まって繰り出しが止まったり、また、接触したケーブルに傷が付いたりしてしまうことがある。
【０００６】
この考案は、これらの点に鑑みて為されたもので、横置き型のドラムローラであって、ケーブルを繰り出す際、繰り出し速度とドラムの回転速度を合わせて多段に重ねられたケーブルが崩れることのないドラムローラのストッパーを提供して前記課題を解決するものである。
【課題を解決するための手段】
【０００７】
請求項１の考案は、リング状で上部材が回転自在なドラムローラを基板に載置し、当該基板の一側を水平方向に伸ばしてその上面に支持棒を立設し、当該支持棒の側面から、一定の剛性及び弾性を有する素材から成る縦板状の押圧板を水平方向に突出させてストッパーを形成し、前記ドラムローラ上に、ケーブルを巻き回したドラムを載置し、当該ドラムからケーブルを繰り出す際、前記ストッパーの押圧板の一側面が前記ドラムに巻き回されたケーブルの外側面を押圧する構成とした、ドラムローラのストッパーとした。
【０００８】
請求項２の考案は、前記支持棒は、ボルトから成り、前記基板上に設けた長溝内にボルト頭を入れて基板上に立設され、前記長溝は前記ボルト頭の幅より狭い開口部を有し、前記ボルトにナットを螺着して、当該ナットを前記長溝の開口部の両側上縁に締め付けることにより前記支持棒が固定されている、前記請求項１に記載のドラムローラのストッパーとした。
【０００９】
請求項３の考案は、門型の枠体を設け、この枠体の一方の脚部の内側面に、一定の剛性及び弾性を有する素材から成る縦板状の押圧板を水平方向に突出させてストッパーを形成し、リング状で上部材が回転自在なドラムローラ上に、ケーブルを巻き回したドラムを載置し、前記ストッパーの他方の脚部を、ドラムローラ上に載置した前記ドラムの中心孔内に挿入し、当該ストッパーの他方の脚部の下部を床面に起立させ、一方の脚部をドラムローラの脇に起立させて当該ストッパーを立設し、前記ドラムからケーブルを繰り出す際、前記ストッパーの押圧板の一側面が前記ドラムに巻き回されたケーブルの外側面を押圧する構成とした、ドラムローラのストッパーとした。
【００１０】
請求項４の考案は、前記枠体を形成する両脚部及び梁材は、夫々大小径の単管を嵌合したものをネジで螺着固定して形成し、両脚部及び梁材はネジを夫々緩めて、小径の単管を大径の単管から出し入れして夫々伸縮自在又は水平方向に位置調整自在に設けた構成である、前記請求項３に記載のドラムローラのストッパーとした。
【００１１】
請求項５の考案は、前記ストッパーの押圧板は一定の厚さを有し、当該押圧板の縦断面の厚さは下部を上部より幅広に設けた、前記請求項１、２、３又は４の何れかに記載のドラムローラのストッパーとした。
【考案の効果】
【００１２】
請求項１及び３の各考案によれば、ドラムに巻き回したケーブルをドラムから繰り出す際、ストッパーの押圧板で当該ケーブルの外側面を押圧しながら当該ケーブルを繰り出すことができるので、繰り出し速度とドラムの回転速度が一致し、ケーブルの繰り出しの際、多段に重ねられたケーブルが崩れるようなことがない。よって、常時、円滑にケーブルを繰り出すことができ、ドラムローラのストッパーとして極めて信頼性が高いものである。
【００１３】
請求項２の考案によれば、ストッパーは、基板上に位置調整自在に設置したので、各種の大きさのドラムに使用出来、汎用性が高いものである。
【００１４】
請求項４の考案によれば、前記枠体を形成する両脚部は高さ調整自在とし、また、前記枠体を形成する梁材は水平方向に位置調整自在に設けたこので、各種の大きさのドラムに使用出来、汎用性が高いものである。
【００１５】
請求項５の考案によれば、ストッパーの押圧板の縦断面の厚さを、下部を上部より幅広に設けたので、ドラムに巻き回されたケーブルは下部へ垂れて行く傾向があっても、より有効にケーブルの崩れを抑えることができ、ドラムローラのストッパーとして、より信頼性が高いものである。
【図面の簡単な説明】
【００１６】
【図１】この考案の実施の形態例１のドラムローラのストッパーの使用状態の斜視図である。
【図２】この考案の実施の形態例１のドラムローラ及びストッパーの斜視図である。
【図３】この考案の実施の形態例１のドラムローラのストッパーの押圧板の下部を上部より幅広に設けた状態の縦断面図である。
【図４】この考案の実施の形態例２のドラムローラのストッパーの正面図である。
【図５】この考案の実施の形態例２のドラムローラのストッパーを使用している状態の斜視図である。
【図６】この考案の実施の形態例２のドラムローラのストッパーを使用している状態の縦断面図である。
【考案を実施するための最良の形態】
【００１７】
（実施の形態例１）
以下、この考案の実施の形態例１のドラムローラのストッパーを図に基づいて説明する。図２に示す様に、まず、平面が琵琶形状の基板Ｃを用意し、この基板Ｃの細くなった突出部上に、ストッパーＡを設置する。このストッパーＡは、概略、支持棒１、押圧板２及びチャネル形状で相対向する開口縁をさらに内側に若干折り込んでいる、一定長を有する基部３からなる。
【００１８】
支持棒１は全ネジボルトから成り、押圧板２は一定の剛性及び弾性を有する樹脂製の縦板状である。前記支持棒１に、２つのＬ型で各面に貫通孔を設けたジョイント金具１ａの水平な一面を通して、夫々ナット１ｂ、１ｃで螺着し、垂直な他面で前記押圧板２の二箇所をボルト２ａとナット２ｂで夫々螺着して固定している。従って、支持棒１に対して押圧板２の上下方向の位置は調整自在である。
【００１９】
また、基板Ｃの突出部の上面に、前記ストッパーAの基部３の開口を上にして長手方向に固着している。さらに、この基部３の配置方向は、基板Ｃに載せるドラムローラＤの半径方向と一致させている。支持棒１の下端のボルト頭を基部３の長溝内に入れ、支持棒１の下部に螺着したナット１ｄを締付けて基部３の両側の折り込み縁を支持棒１のボルト頭とナット１ｄとで挟持して支持棒１を固定する。また、支持棒１の水平方向の位置調整は、ナット１ｄを緩めることにより、基部３内の位置を長溝に沿って移動固定自在となっている。
【００２０】
さらに、図３に示すように、前記ストッパーＡの押圧板２は一定の厚さを有し、この押圧板２の縦断面の厚さは下部を上部より幅広に設けている。
【００２１】
そして、基板Ｃ上に、リング状で上部材が回転自在なドラムローラＤが載置され、このドラムローラＤの上にケーブルＦを巻き回したドラムＥが載置されている。さらに、前記ストッパーＡの押圧板２の一側面がドラムＥに巻き回したケーブルＦの外側の全面に接触し、押圧する位置に、ストッパーＡの位置が調整されている。
【００２２】
その後、図１に示すように、前記ドラムＥからケーブルＦを繰り出す場合、前記ストッパーＡの押圧板２の一側面が前記ドラムＥに巻き回されたケーブルＦの外側面の全面に接触し、ケーブルＦは押圧板２に押圧されながら引き出される。従って、ドラムＥに巻き回されているケーブルＦは、ストッパーＡによって常時押圧されているため、ドラムＥは、無闇に回転しない。
【００２３】
（実施の形態例２）
さらに、この考案の実施の形態例２のドラムローラのストッパーＢを図に基づいて説明する。ここでは、前記実施の形態例１のストッパーＡと異なる構成について説明する。
【００２４】
図４に示すように、門型の枠体１１を設け、この枠体１１の一方の脚部１１ａの内側面に、一定の剛性及び弾性を有する樹脂製の縦板状の押圧板１２を水平方向に突出させてストッパーＢを形成する。ここで、前記枠体１１を形成する、脚部１１ａ、１１ｂ及び梁材１１ｃは、夫々大小径の単管を嵌合したものから成り、脚部１１ａ、１１ｂ及び梁材１１ｃはネジ１３ａ、１３ｂ、１３ｃを夫々緩めて、小径の単管を大径の単管から出し入れして夫々伸縮自在となっている。また、この枠体１１は、自立型であり、容易に倒れないようになっている。
【００２５】
そして、図５及び図６に示すように、リング状で上部材が回転自在なドラムローラＧ上に、ケーブルＦを巻き回したドラムＥを載置し、前記ストッパーＢの他方の脚部１１ｂを、前記ドラムＥの中心孔１４内に挿入し、他方の脚部１１ｂの下端を床面に立てる。また、同様に、このストッパーＢの一方の脚部１１ａの下端をドラムローラＧの近傍の床面に立て当該ストッパーＢを立設する。これにより、ストッパーＢの自立し、容易には倒れない。
【００２６】
この実施の形態例２のドラムローラＧのストッパーＢを使用すれば、前記ドラムＥからケーブルＦを繰り出す際、前記ストッパーＢの押圧板１２の一側面が前記ドラムＥに巻き回されたケーブルＦの外側面の全面に接触し、ケーブルＦは押圧板１２に押圧されながら引き出される。
【００２７】
この実施の形態例１及び２のドラムローラＤ、ＧのストッパーＡ、Ｂを使用すれば、ドラムＥに巻き回されたケーブルＦは、ストッパーＡ、Ｂの押圧板２、１２に接触し、押圧されながら引き出されるので、ケーブルＦの繰り出しが突然停止されたとしても、ドラムＥはケーブルＦを介して押圧板２、１２に抑えられ、これに追従して停止する。従って、多段に重ねられたケーブルＦが崩れることがない。よって、常時、円滑にケーブルＦを繰り出すことができ、ドラムローラのストッパーとして極めて信頼性が高いものである。
【００２８】
前記実施の形態例１及び２では、ストッパーＡ、Ｂの押圧板２、１２を樹脂製としているが、押圧板２、１２は樹脂製に限らず、弾性を有し、且つケーブルを押圧して崩れるのを防ぐだけの剛性を有するものなら他の材質のものでももちろん良く、また、押圧板２、１２は、複数枚重ねるようにしても良い。
【００２９】
また、実施の形態例１において、支持棒１の長さは、ドラムＥに巻き回されたケーブルＦを押圧するのに最適な長さのものを使用すれば良い。さらに、実施の形態例２において、枠体１１の脚部１１ａ、１１ｂ及び梁材１１ｃを形成するのに単管を使用しているが、脚部１１ａ等を形成する部材としては単管に限るものではなく、脚部１１ａ等の各部材を高さ調整自在又は位置調整自在に形成できる部材なら他の部材でももちろん良い。
【００３０】
また、実施の形態例１及び２の押圧板２、１２を縦板状に形成しているが、これらの押圧板２、１２は、長方形状や正方形状に限らず、上辺が短く、下辺が長い、台形状でも良い。また、前記実施の形態例１の支持棒１は基部３に立設されているが、この基部３を設けなくても長溝を設け、当該長溝の開口部を支持棒１のボルト頭の幅より狭くし、当該開口部の両側上縁にナット１ｄを締め付けて支持棒１を固定、立設してもよい。
【００３１】
また、前記実施の形態例１及び２において、ドラムローラＤ、Ｇの上にドラムＥを載置する際、ドラムローラＤ、Ｇの空間となっている内側の中心部に、予めバネ付のベアリングを載置しておき（図示省略）、前記ドラムＥの下面の中心孔を前記ベアリングに嵌める様に載置し、ドラムＥの中心孔が上手くベアリングに嵌合出来れば、当該ドラムＥはドラムローラＤ、Ｇの中心部に位置して載置されていることとなり、ドラムＥをドラムローラＤ、Ｇ上に載置する際のガイドとすることが出来る。
【符号の説明】
【００３２】
Ａ    ストッパー        Ｂ     ストッパー     Ｃ    基板
Ｄ    ドラムローラ      Ｅ    ドラム          Ｆ     ケーブル
Ｇ    ドラムローラ
１    支持棒            ２     押圧板         ３    基部
１１    枠体            １１ａ  脚部          １１ｂ   脚部
１１ｃ  梁材            １２    押圧板        １３ａ  ネジ
１３ｂ  ネジ            １３ｃ  ネジ
【図１】
0003221580.tif 000003
【図２】
0003221580.tif 000004
【図３】
0003221580.tif 000005
【図４】
0003221580.tif 000006
【図５】
0003221580.tif 000007
【図６】
0003221580.tif 000008